(57)【要約】【課題】装置の簡素化と工程の簡素化が図れる汚泥凝集方法及び装置、及び汚泥処理装置を提供すること。【解決手段】汚泥に第１の高分子凝集剤の溶液を注入した混合汚泥を撹拌して凝集しながら加圧して圧送する第１凝集圧送装置（第１凝集圧送工程）４０と、第１凝集圧送装置４０によって圧送されてきた混合汚泥に第２の高分子凝集剤の溶液を注入した混合汚泥を第１凝集圧送装置４０の撹拌速度よりも低速で撹拌して凝集させ凝集フロックを形成して凝集汚泥を得る第２凝集装置（第２凝集工程）８０とを有する汚泥凝集装置（汚泥凝集方法）１−１である。【選択図】図１
2016101540.tif 000002
【特許請求の範囲】
【請求項１】
汚泥に第１の高分子凝集剤の溶液を注入した混合汚泥を撹拌して凝集しながら加圧して圧送する第１凝集圧送工程と、
前記第１凝集圧送工程によって圧送されてきた混合汚泥に第２の高分子凝集剤の溶液を注入した混合汚泥を前記第１凝集圧送工程の撹拌速度よりも低速で撹拌して凝集させ凝集フロックを形成して凝集汚泥を得る第２凝集工程と、
を有する汚泥凝集方法。
【請求項２】
請求項１に記載の汚泥凝集方法であって、
前記第１凝集圧送工程における混合汚泥の撹拌と加圧は、ポンプインペラの回転によって行うことを特徴とする汚泥凝集方法。
【請求項３】
汚泥に第１の高分子凝集剤の溶液を注入した混合汚泥を撹拌して凝集しながら加圧して圧送する第１凝集圧送装置と、
前記第１凝集圧送装置によって圧送されてきた混合汚泥に第２の高分子凝集剤の溶液を注入した混合汚泥を前記第１凝集圧送装置の撹拌速度よりも低速で撹拌して凝集させ凝集フロックを形成して凝集汚泥を得る第２凝集装置と、
を有する汚泥凝集装置。
【請求項４】
請求項３に記載の汚泥凝集装置であって、
前記第１凝集圧送装置は、前記混合汚泥を圧送するインペラを有する非容積型のポンプであることを特徴とする汚泥凝集装置。
【請求項５】
請求項４に記載の汚泥凝集装置であって、
前記第１の高分子凝集剤の溶液は、前記ポンプの吸込口近傍又は前記ポンプのインペラ内に直接供給されることを特徴とする汚泥凝集装置。
【請求項６】
水処理系からの汚泥を貯留する汚泥貯留槽と、
前記汚泥貯留槽内の汚泥を搬送する汚泥供給ポンプに、第１の高分子凝集剤の溶液を供給することで、汚泥と第１の高分子凝集剤との混合汚泥を撹拌して凝集しながら加圧して圧送する第１凝集圧送装置と、
前記第１凝集圧送装置から圧送されてきた混合汚泥に第２の高分子凝集剤の溶液を注入した混合汚泥を前記第１凝集圧送装置の撹拌速度よりも低速で撹拌して凝集させ凝集フロックを形成して凝集汚泥を得る第２凝集装置と、
前記第２凝集装置から送られてくる凝集汚泥を脱水する汚泥脱水機と、
を具備する汚泥処理装置。
【発明の詳細な説明】
【技術分野】
【０００１】
本発明は、例えば、廃水処理施設や浄水処理施設などから排出される汚泥を減容化するための脱水処理において汚泥を凝集させるためなどに用いて好適な汚泥凝集方法及び装置、及びこの汚泥凝集装置を用いて構成される汚泥処理装置に関するものである。
【背景技術】
【０００２】
廃棄物量を削減し、環境負荷を低減することが求められる中、廃水処理施設や浄水処理施設などから排出される汚泥を減容化するための脱水処理技術は極めて重要であり、より効率的な汚泥の脱水処理技術が望まれている。
【０００３】
汚泥の脱水処理は、凝集剤を用いて汚泥を凝集させる凝集工程と、脱水機により凝集汚泥を脱水する脱水工程とから構成されるのが一般的である。汚泥の脱水処理における成功の可否は、凝集剤によって如何に効果的に凝集させることができるかに依るところが大きい。
【０００４】
凝集剤を利用して汚泥を凝集させる方法の内、高分子凝集剤を利用すると共に、汚泥を撹拌する際の回転速度を異なる２段階とした撹拌工程により、汚泥を凝集させる方法が知られている（例えば特許文献１〜４など）。
【０００５】
また特許文献１〜４に示す従来技術よりも、汚泥の凝集に必要な凝集剤の注入量を削減することができ、しかも脱水後に得られる脱水ケーキの含水率を低減して廃棄物量をより一層削減することができる汚泥凝集装置として、特許文献５に示す汚泥の凝集方法（装置）がある。この特許文献５には、第１の高分子凝集剤の溶液を汚泥に注入し、１０００ｍｉｎ-1（ｒｐｍ）以上の高速撹拌により汚泥と第１の高分子凝集剤の溶液を混合して混合汚泥を調整する第１撹拌工程と、第２の高分子凝集剤の溶液を前記混合汚泥に注入し、１０〜５００ｍｉｎ-1の撹拌により混合汚泥と第２の高分子凝集剤の溶液を混合して凝集フロックを形成させる第２撹拌工程と、を有する汚泥の凝集方法（装置）が開示されている。
【０００６】
特許文献５に示す汚泥の凝集方法（装置）によれば、第１撹拌工程において１０００ｍｉｎ-1以上の高速撹拌を行うので、第１の高分子凝集剤を均一に汚泥に分散させることができる上、第１の高分子凝集剤を汚泥の細部まで行き渡らせることができる。そして第１の高分子凝集剤を汚泥に均一に分散させることによって、無駄な高分子凝集剤を削減でき、高分子凝集剤の注入量を削減できる。また高分子凝集剤を汚泥の細部まで行き渡らせることにより、凝集汚泥が緻密になるため、脱水処理後の脱水ケーキの含水率を低減できる。
【先行技術文献】
【特許文献】
【０００７】
【特許文献１】特開昭５７−１３０５９９号公報
【特許文献２】特開昭６２−２７７２００号公報
【特許文献３】特開平１１−５７８００号公報
【特許文献４】特開２００６−２６３５１４号公報
【特許文献５】国際公開２０１２−１０８３１２号公報
【発明の概要】
【発明が解決しようとする課題】
【０００８】
しかしながら特許文献５に示す汚泥の凝集方法（装置）においては、第１撹拌工程と第２撹拌工程とを行うために、第１凝集装置と第２凝集装置の２つの独立した装置を設置する必要があるので、凝集装置の簡素化、小型化や、凝集工程の簡素化が図れないという問題があった。
【０００９】
本発明は上述の点に鑑みてなされたものでありその目的は、装置の簡素化と工程の簡素化が図れ、これによって装置の小型化、コストの低減化、動力の低減化等を図ることができる汚泥凝集方法及び装置、及び汚泥処理装置を提供することにある。
【課題を解決するための手段】
【００１０】
本発明にかかる汚泥凝集方法は、汚泥に第１の高分子凝集剤の溶液を注入した混合汚泥を撹拌して凝集しながら加圧して圧送する第１凝集圧送工程と、前記第１凝集圧送工程によって圧送されてきた混合汚泥に第２の高分子凝集剤の溶液を注入した混合汚泥を前記第１凝集圧送工程の撹拌速度よりも低速で撹拌して凝集させ凝集フロックを形成して凝集汚泥を得る第２凝集工程と、を有して構成されている。
汚泥を移送するのに元々必要な圧送工程に、第１凝集工程を兼用させたので、汚泥に第１の凝集を行わせるとともに、圧送することができ、これによって凝集工程の簡素化を図ることができる。従ってこの凝集方法を行う凝集装置の小型化、低コスト化も図れる。また汚泥の圧送のための動力を第１の凝集のための撹拌に利用できるので、動力コスト（運転コスト）の低減化（省エネルギー化）も図れる。
一方で、その凝集効果、即ち高分子凝集剤の注入量、脱水後に得られる脱水ケーキの含水率等は、第１凝集工程を圧送工程と別々に行った場合の凝集効果と同等である。
【００１１】
前記第１凝集圧送工程における混合汚泥の撹拌と加圧は、ポンプインペラの回転によって行われることが好ましい。
本発明の第１凝集圧送工程における混合汚泥の撹拌と加圧は、汚泥を圧送するポンプ（汚泥供給ポンプ）によって行うのが好ましい。ポンプの形式としては、渦巻ポンプやディフューザポンプ等の遠心ポンプ、渦巻斜流ポンプやディフューザ形斜流ポンプ等の斜流ポンプ、軸流ポンプが好ましい。用いられる羽根車形式（ポンプインペラ形式）としては、半径流インペラ、混流形インペラ、斜流形インペラ、軸流形インペラ、クローズインペラ、セミオープンインペラ、フルオープンインペラ、ノンクロッグインペラ、等があり、これらインペラは何れも上記遠心ポンプ、斜流ポンプ、軸流ポンプに使用できる。
【００１２】
また本発明にかかる汚泥凝集装置は、汚泥に第１の高分子凝集剤の溶液を注入した混合汚泥を撹拌して凝集しながら加圧して圧送する第１凝集圧送装置と、前記第１凝集圧送装置によって圧送されてきた混合汚泥に第２の高分子凝集剤の溶液を注入した混合汚泥を前記第１凝集圧送装置の撹拌速度よりも低速で撹拌して凝集させ凝集フロックを形成して凝集汚泥を得る第２凝集装置と、を有して構成されている。
汚泥を移送するのに元々必要な圧送装置に、第１凝集装置を兼用させたので、汚泥に第１の凝集を行わせるとともに、圧送することができ、これによって凝集装置の簡素化、小型化、低コスト化が図れる。また汚泥の圧送のための動力を第１の凝集のための撹拌に利用できるので、動力コスト（運転コスト）の低減化（省エネルギー化）も図れる。
一方で、その凝集効果、即ち高分子凝集剤の注入量、脱水後に得られる脱水ケーキの含水率等は、第１凝集装置を圧送装置と別々に設置した場合の凝集効果と同等である。
【００１３】
前記第１凝集圧送装置は、前記混合汚泥を圧送するインペラを有する非容積型のポンプであることが好ましい。
第１の凝集を行わせるためには、混合汚泥を撹拌してせん断する必要がある。このため、第１凝集圧送装置に用いるポンプとして、撹拌及びせん断に乏しい容積型のポンプ（例えばピストンポンプや一軸ネジ式ポンプ等）は不向きである。即ち、第１凝集装置に用いるポンプとしては、非容積型のポンプが好ましく、特に、上述した遠心ポンプが好ましい。
【００１４】
また前記第１の高分子凝集剤の溶液は、前記ポンプの吸込口近傍又は前記ポンプのインペラ内に直接供給することが好ましい。
これによって、汚泥に第１の高分子凝集剤の溶液を確実に注入できると共に撹拌でき、効果的な凝集を行わせることができる。
【００１５】
また本発明にかかる汚泥処理装置は、水処理系からの汚泥を貯留する汚泥貯留槽と、前記汚泥貯留槽内の汚泥を搬送する汚泥供給ポンプに第１の高分子凝集剤の溶液を供給することで汚泥と第１の高分子凝集剤との混合汚泥を撹拌して凝集しながら加圧して圧送する第１凝集圧送装置と、前記第１凝集圧送装置から圧送されてきた混合汚泥に第２の高分子凝集剤の溶液を注入した混合汚泥を前記第１凝集圧送装置の撹拌速度よりも低速で撹拌して凝集させ凝集フロックを形成して凝集汚泥を得る第２凝集装置と、前記第２凝集装置から送られてくる凝集汚泥を脱水する汚泥脱水機と、を具備して構成されている。
汚泥貯留槽から汚泥を移送するのに元々必要な汚泥供給ポンプ（圧送装置）に第１凝集装置を兼用させたので、汚泥に第１の凝集を行わせるとともに、圧送することができる。これによって汚泥処理装置の簡素化、小型化、低コスト化が図れる。また汚泥の圧送のための動力を第１の凝集のための撹拌に利用できるので、動力コスト（運転コスト）の低減化（省エネルギー化）も図ることができる。
一方で、その凝集効果、即ち高分子凝集剤の注入量、汚泥脱水機により得られる脱水ケーキの含水率等は、第１凝集装置を汚泥供給ポンプと別々に設置した場合の凝集効果と同等である。
【発明の効果】
【００１６】
本発明によれば、装置の簡素化と工程の簡素化が図れ、これによって装置の小型化、コストの低減化、動力の低減化等を図ることができる。
【図面の簡単な説明】
【００１７】
【図１】汚泥処理装置（汚泥凝集脱水装置）１−１の全体概略図である。
【図２】汚泥処理装置（汚泥凝集脱水装置）１−２の全体概略図である。
【図３】汚泥処理装置（汚泥凝集脱水装置）１−３の全体概略図である。
【発明を実施するための形態】
【００１８】
以下、本発明の実施形態を図面を参照して詳細に説明する。
〔第１実施形態〕
図１は本発明の第１実施形態にかかる汚泥処理装置（汚泥凝集脱水装置）１−１の全体概略図である。同図に示すように、汚泥処理装置１−１は、水処理系からの汚泥を貯留する汚泥貯留槽１０と、汚泥貯留槽１０から送られてくる汚泥を凝集させる汚泥凝集装置３０と、汚泥凝集装置３０から送られてくる凝集汚泥を脱水する汚泥脱水機１００とを具備して構成されている。
【００１９】
また汚泥凝集装置３０は、汚泥貯留槽１０から引き出した汚泥を下流側に圧送していく第１凝集圧送装置４０と、第１凝集圧送装置４０に導入する汚泥に第１の高分子凝集剤の溶液を注入する第１薬注手段７０と、第１凝集圧送装置４０で混合撹拌されて圧送された混合汚泥（混合した汚泥と第１の高分子凝集剤）を導入する第２凝集装置８０と、第２凝集装置８０に導入する汚泥に第２の高分子凝集剤の溶液を注入する第２薬注手段９０と、を具備して構成されている。
【００２０】
汚泥貯留槽１０は、水処理系からの汚泥を貯留するものである。貯留する汚泥（被処理物）としては、有機性汚泥、無気性汚泥の何れでも良い。
【００２１】
有機性汚泥としては、例えば下水処理、し尿処理、各種産業廃水処理において発生する有機性汚泥などを挙げることができる。より具体的には、最初沈殿池汚泥、余剰汚泥、嫌気性消化汚泥、好気性消化汚泥、浄化槽汚泥、消化脱離液などを挙げることができる。有機性汚泥は無機物を含んでも良い。
【００２２】
無機性汚泥としては、例えば浄水処理、建設工事廃水処理、各種産業廃水処理において発生する無機性汚泥などを挙げることができる。ここで、浄水処理で発生する汚泥とは、浄水処理施設における沈殿池、排泥池、濃縮槽などから排出される汚泥などである。無機性汚泥は有機物を含んでも良い。
【００２３】
以上のように、この汚泥処理装置１−１では、有機性汚泥、無機性汚泥のいずれも被処理物とすることができるが、本発明の効果をより享受できるという観点からすると、有機性汚泥が好ましく、その中でも、難脱水性の嫌気性消化汚泥が特に好ましい。
【００２４】
第１凝集圧送装置４０は、汚泥貯留槽１０内に溜められた汚泥を吸い込んで第２凝集装置８０方向（下流方向）に圧送するポンプ（汚泥供給ポンプ）によって構成されている。このポンプは、この例ではタービン羽根ポンプを用いているが、渦巻ポンプ等の他の遠心ポンプを用いても良い。ここで渦巻ポンプは、インペラ（羽根車）を回転することで流体に渦流を起こし、その力で吸い上げたり押し上げたりするポンプである。またタービン羽根ポンプは、前記渦巻ポンプのインペラの回りに案内羽根を取り付ける構造とすることで、羽根車から出る高速の流体のエネルギーをさらに効率よく圧力エネルギーに変換して高揚程にするポンプである。上記渦巻ポンプやタービンポンプを多段とした多段渦巻ポンプや多段タービンポンプを用いても良い。さらに吸込スクリュー付ポンプ等のポンプを用いても良い。第１の凝集を行わせるためには、混合汚泥を撹拌してせん断する必要がある。このため、第１凝集圧送装置に用いるポンプとして、撹拌及びせん断に乏しい容積型のポンプ（例えばピストンポンプや一軸ネジ式ポンプ等）は不向きである。即ち、第１凝集圧送装置に用いるポンプとしては、非容積型のポンプが好ましい。要は、ポンプインペラの回転によって流体（汚泥）を撹拌しながら加圧して圧送するポンプであれば、どのようなポンプであっても良い。即ち、ポンプの形式としては、渦巻ポンプやディフューザポンプ等の上記遠心ポンプの他に、渦巻斜流ポンプ、ディフューザ形斜流ポンプ等の斜流ポンプや、軸流ポンプが好ましい。これらのポンプが好ましいのは、何れも流れてくるものをせん断、圧縮、混合撹拌するという性質が同等だからであるが、しいて言えば、遠心ポンプが斜流ポンプや軸流ポンプに比べて、本発明に適している。また用いられる羽根車形式（ポンプインペラ形式）としては、半径流インペラ、混流形インペラ、斜流形インペラ、軸流形インペラ、クローズインペラ、セミオープンインペラ、フルオープンインペラ、ノンクロッグインペラ、等があり、これらインペラは何れも上記遠心ポンプ、斜流ポンプ、軸流ポンプに使用できる。
【００２５】
そしてこの第１凝集圧送装置４０を駆動してそのインペラを回転することで、汚泥貯留槽１０内の汚泥を吸引して第１凝集圧送装置４０内に導入し、導入した汚泥をインペラで撹拌しながら同時に加圧して第２凝集装置８０側に圧送する。インペラの回転数は、この例では１０００ｍｉｎ-1以上の所定の回転数に設定されている。
【００２６】
次に、第１薬注手段７０は、第１の高分子凝集剤溶解槽７１と、第１の高分子凝集剤溶解槽７１から前記第１凝集圧送装置４０の上流側の配管に第１の高分子凝集剤を移送する第１の高分子凝集剤ポンプ７３とを具備している。
【００２７】
第１の高分子凝集剤としては、アニオン性高分子凝集剤、ノニオン性高分子凝集剤、カチオン性高分子凝集剤、両性高分子凝集剤のいずれも用いることができる。有機性汚泥を処理する場合には、カチオン性高分子凝集剤又は両性高分子凝集剤を用いるのが特に好ましい。
【００２８】
アニオン性高分子凝集剤としては、例えばポリアクリル酸ナトリウム、アクリル酸ナトリウムとアクリルアミドとの共重合物、ポリメタクリル酸ナトリウム、メタクリル酸ナトリウムとアクリルアミドの共重合物などを挙げることができる。
【００２９】
ノニオン性高分子凝集剤としては、例えばポリアクリルアミド、ポリエチレンオキサイドなどを挙げることができる。
【００３０】
カチオン性高分子凝集剤としては、例えばアクリレート系高分子凝集剤（「ＤＡＡ系高分子凝集剤」とも称する）、メタクリレート系高分子凝集剤（「ＤＡＭ系高分子凝集剤」とも称する）、アミド基、ニトリル基、アミン塩酸塩、ホルムアミド基などを含むポリビニルアミジン（「アミジン系高分子凝集剤」とも称する）、ポリアクリルアミドのマンニッヒ変性物などが挙げられる。ＤＡＡ系高分子凝集剤には、ジメチルアミノエチルアクリレートの四級化物の重合物、ジメチルアミノエチルアクリレートの四級化物とアクリルアミドとの共重合物などがある。ＤＡＭ系高分子凝集剤には、ジメチルアミノエチルメタクリレートの四級化物の重合物、ジメチルアミノエチルメタクリレートの四級化物とアクリルアミドとの共重合物などがある。
【００３１】
両性高分子凝集剤としては、例えばジメチルアミノメチルアクリレートの四級化物とアクリルアミドとアクリル酸との共重合物、ジメチルアミノメチルメタクリレートの四級化物とアクリルアミドとアクリル酸との共重合物などを挙げることができる。
【００３２】
但し、以上は第１の高分子凝集剤の例示であり、これらに限定するものではない。
【００３３】
第１の高分子凝集剤の分子量は４５０万以上であるのが好ましい。より好ましい分子量は５００万以上である。ここでの分子量は、粘度法により求められた平均分子量である。高速撹拌によって高分子凝集剤を汚泥中に分散させる場合、高速撹拌により高分子凝集剤の分子鎖が切断されることが生じるため、高分子凝集剤の分子量が低すぎると高分子凝集剤の凝集力が弱まってしまう。このため、分子量が４５０万以上の高分子凝集剤を使用することにより、たとえ高速撹拌により分子鎖が切断されてもある程度の高分子凝集剤の凝集力を維持することができる。
【００３４】
第１の高分子凝集剤の粘度は、分子量と同じ観点から、１５０ｍＰａ・ｓ以上であるのが好ましく、特に１７５ｍＰａ・ｓ以上、その中でも２００ｍＰａ・ｓ以上であるのが好ましい。この際の粘度は、高分子凝集剤を純水に２ｇ／Ｌで溶解し、Ｂ型粘度計を使用し、２５℃、６０ｍｉｎ-1の回転速度で測定した値である。
【００３５】
第１の高分子凝集剤の分子量が４５０万以上である場合、第１の高分子凝集剤の注入量は、第１の高分子凝集剤と下記する第２の高分子凝集剤の合計注入量の４５〜９５質量％となるように調整して加えるのが好ましく、中でも５０〜９５質量％、その中でも特に５５〜９０質量％を占めるように調整して加えるのが好ましい。
【００３６】
第１の高分子凝集剤の注入量の割合が高すぎると、第２の高分子凝集剤の注入量が少なすぎるようになるため、凝集フロックは成長しない可能性がある。この結果、濃縮処理や脱水処理において、ろ過性が悪化する。一方、第１の高分子凝集剤の注入量の割合が低すぎると、第１凝集圧送装置４０において、高速撹拌により汚泥に均一に分散する高分子凝集剤の割合が少なくなるため、高速撹拌の効果は低下するようになる。このため第１の高分子凝集剤の注入量は、合計注入量の４５〜９５質量％に制御することにより、高分子凝集剤を汚泥に均一に分散させるとともに凝集フロックを成長させることができる。
【００３７】
第１の高分子凝集剤の溶液における溶媒は、純水、水道水、工業用水、地下水、各種廃水処理の処理水、海水などを挙げることができるが、高分子凝集剤の凝集力を最大限発揮させる観点からは純水が好ましい。この点は下記する第２の高分子凝集剤の溶液についても同様である。一方、経済性の観点からは、水道水、工業用水、地下水、各種廃水処理の処理水が好ましい。この点も、第２の高分子凝集剤の溶液についても同様である。
【００３８】
第１の高分子凝集剤の溶液における高分子凝集剤濃度は１〜３ｇ／Ｌであってもよいが、３ｇ／Ｌ以上であるのが好ましく、より好ましくは５ｇ／Ｌ以上、さらにより好ましくは１０ｇ／Ｌ以上である。高分子凝集剤による汚泥の凝集において、高分子凝集剤の溶液は１〜３ｇ／Ｌに調製するのが一般的であり、通常は３ｇ／Ｌ以上の高分子凝集剤の溶液を使用することはない。この理由は、高分子凝集剤濃度が３ｇ／Ｌ以上になると、高分子凝集剤の溶液は高粘度になるため、従来の凝集槽で使用される撹拌機の回転速度（１０〜５００ｍｉｎ-1程度）では、高分子凝集剤を汚泥に均一に分散させることが難しいからである。一方、第１凝集圧送装置４０における高速撹拌では、３ｇ／Ｌ以上の高濃度溶液を使用しても、高分子凝集剤を汚泥に均一に分散させることができる。この結果、高分子凝集剤の溶解水量を削減できるメリットが生じる。高濃度の高分子凝集剤の溶液を使用する別のメリットとして、高分子凝集剤を加えた汚泥中の高分子凝集剤の濃度を高めることができるため、高分子凝集剤の注入量を削減でき、脱水処理後の脱水ケーキの含水率を低減できる点を挙げることができる。例えば、１Ｌの汚泥に２ｇ／Ｌの高分子凝集剤の溶液を２００ｍＬ注入（高分子凝集剤として０．４ｇ注入）した場合、汚泥中の高分子凝集剤の濃度は３３３ｍｇ／Ｌである。一方、１Ｌの汚泥に１０ｇ／Ｌの高分子凝集剤を４０ｍＬ注入（高分子凝集剤として０．４ｇ注入）した場合、汚泥中の高分子凝集剤の濃度は３８５ｍｇ／Ｌである。このように、同じ０．４ｇの高分子凝集剤を加える場合であっても、２ｇ／Ｌの高分子凝集剤の溶液を使用するよりも、１０ｇ／Ｌの高分子凝集剤の溶液を使用する方が汚泥中の高分子凝集剤の濃度を高められ、高分子凝集剤の注入量を削減でき、脱水処理後の脱水ケーキの含水率を低減することができる。
【００３９】
第２凝集装置８０は、槽状の第２撹拌部８１と、第２撹拌部８１内に設置される撹拌翼８３と、撹拌翼８３に連結されて第２撹拌部８１外に引き出されるシャフト８５と、シャフト８５を回転駆動するモータ（駆動源）８７とを具備している。そしてモータ８７を駆動して撹拌翼８３を回転することで、上流側から第２撹拌部８１内に導入された汚泥を撹拌し、撹拌した汚泥を下流側に排出する。撹拌翼８３の回転数は、従来の汚泥の凝集装置において一般的な回転速度、すなわち１０〜５００ｍｉｎ-1であればよい。その理由は、第２凝集装置８０では第２の高分子凝集剤を第１凝集圧送装置４０において調整した混合汚泥に緩やかに接触させ、凝集フロックを成長させる必要があるからである。かかる観点から、第２凝集装置８０において撹拌する際の回転速度は、１０〜５００ｍｉｎ-1であればよく、中でも２０ｍｉｎ-1以上或いは４００ｍｉｎ-1以下、その中でも３０ｍｉｎ-1以上或いは３００ｍｉｎ-1以下であるのがさらに好ましい。なお、第２凝集装置８０における撹拌する際の回転速度は、汚泥の種類、汚泥の性状、高分子凝集剤の分子量、高分子凝集剤の溶解濃度などに合わせて、１０〜５００ｍｉｎ-1において調整するのが好ましい。
【００４０】
第２薬注手段９０は、第２の高分子凝集剤溶解槽９１と、第２の高分子凝集剤溶解槽９１から前記第２凝集装置８０の上流側の配管に第２の高分子凝集剤を移送する第２の高分子凝集剤ポンプ９３とを具備している。
【００４１】
第２の高分子凝集剤としては、前記第１の高分子凝集剤と同様のものを用いることができる。この場合、第２の高分子凝集剤は、第１の高分子凝集剤と同一種類の高分子凝集剤を用いることもできるし、異なる種類の高分子凝集剤を用いることもできる。第１、第２の高分子凝集剤溶解槽７１，９１を共用できる観点からは、第２の高分子凝集剤は、第１の高分子凝集剤と同一種類の高分子凝集剤を用いるのが好ましい。第２の高分子凝集剤の溶液における高分子凝集剤濃度は１〜３ｇ／Ｌであってもよいが、３ｇ／Ｌ以上であるのが好ましく、より好ましくは５ｇ／Ｌ以上、さらに好ましくは１０ｇ／Ｌ以上である。
【００４２】
汚泥脱水機１００としては、スクリュープレス脱水機を使用しているが、従来から知られた他の各種の脱水機を使用することもできる。例えば、ベルトプレス脱水機、遠心脱水機、真空脱水機、フィルタプレス脱水機、多重円板脱水機などを使用しても良い。
【００４３】
次に汚泥処理装置１−１の動作を説明する。まず第１凝集圧送装置４０を駆動することで、汚泥貯留槽１０内に溜められた汚泥が、前記第１凝集圧送装置４０に向けて移送される。同時に第１の高分子凝集剤ポンプ７３を駆動することで、第１の高分子凝集剤の溶液が、第１の高分子凝集剤溶解槽７１から第１凝集圧送装置４０の上流側の配管内に供給され、汚泥に注入される。
【００４４】
そして第１の高分子凝集剤が注入された混合汚泥は、第１凝集圧送装置４０内に導入され、そのインペラの１０００ｍｉｎ-1以上の高速回転によって混合・撹拌されながら、加圧され第２凝集装置８０に向けて圧送される。そしてこの高速撹拌によって、第１の高分子凝集剤を汚泥中に均一に分散させることができ、第１の高分子凝集剤を汚泥の細部まで行き渡らせることができる。
【００４５】
以上のように、第１凝集圧送装置４０によれば、上記撹拌により、第１の高分子凝集剤を汚泥中に均一に分散させることができ、第１の高分子凝集剤を汚泥の細部まで行き渡らせることができるため、汚泥の表面電荷の中和と、高分子の吸着又は架橋作用による凝集とを同時に行わせることができる。
【００４６】
第１凝集圧送装置４０でのインペラの回転速度は、上述のように、１０００ｍｉｎ-1以上の高速であることが好ましいが、さらに好ましい回転速度は２０００ｍｉｎ-1以上である。この回転速度は、汚泥の種類、汚泥の性状、高分子凝集剤の分子量、高分子凝集剤の溶解濃度などに合わせて、１０００ｍｉｎ-1以上において調整するのが好ましい。
【００４７】
高分子凝集剤により汚泥を凝集させる場合、高分子凝集剤を汚泥に均一に分散させること、高分子凝集剤を汚泥の細部まで行き渡らせることが重要である。高分子凝集剤を汚泥に均一に分散させることにより、無駄な高分子凝集剤を削減でき、高分子凝集剤の注入量を削減することができる。また、高分子凝集剤を汚泥の細部まで行き渡らせることにより、凝集汚泥が緻密になるため、脱水処理後の脱水ケーキの含水率を低減できる。高分子凝集剤の溶液は高粘度の液体であり、例えばインペラの回転速度を１０〜５００ｍｉｎ-1とした場合では、高分子凝集剤を汚泥に均一に分散させることが難しい上、高分子凝集剤を汚泥の細部まで行き渡らせることができず、このため、高分子凝集剤の注入量の増加や脱水ケーキ含水率の悪化が生じる。一方、インペラの回転速度を１０００ｍｉｎ-1以上の高速として撹拌した場合では、高分子凝集剤を均一に汚泥に分散させることができる上、高分子凝集剤を汚泥の細部まで行き渡らせることができ、このため、高分子凝集剤の注入量を削減でき、脱水ケーキ含水率を低減することができる。
【００４８】
第１凝集圧送装置４０における撹拌時間、即ち第１の高分子凝集剤の溶液と汚泥を混合撹拌する時間は、２０秒以下、特に５秒〜２０秒とするのが好ましく、より好ましくは５秒〜１５秒、さらにより好ましくは５秒〜１０秒である。高速撹拌による撹拌時間が長すぎると、高分子凝集剤の凝集力が弱まる程度まで高分子凝集剤の分子鎖は切断されてしまう。このため、撹拌時間を２０秒以下に制御することにより、高分子凝集剤の凝集力を弱めることなく、高分子凝集剤を汚泥に均一に分散させ、高分子凝集剤を汚泥の細部まで行き渡らせることができる。
【００４９】
即ち、第１凝集圧送装置４０によれば、高分子凝集剤を汚泥に均一に分散させることにより、無駄な高分子凝集剤を削減でき、高分子凝集剤の注入量を削減することができる。また、高分子凝集剤を汚泥の細部まで行き渡らせることにより、凝集汚泥が緻密になるため、脱水処理後の脱水ケーキの含水率を低減できる。なお、高分子凝集剤の溶液は高粘度の液体であり、一般的な凝集槽で使用される撹拌機の回転速度（１０〜５００ｍｉｎ-1程度）では、高分子凝集剤を汚泥に均一に分散させることが難しい上、高分子凝集剤を汚泥の細部まで行き渡らせることができないため、高分子凝集剤の注入量の増加や脱水ケーキの含水率の悪化が生じる。また、高速撹拌によって高濃度の高分子凝集剤を使用できるため、高分子凝集剤の使用量を削減することができ、設備の小型化、省エネルギー化を図ることができる。さらには、脱水ろ液を水処理系に返流する際、返流水量を削減することができるため、水処理系全体の省エネルギー化及び省スペース化を図ることができる。
【００５０】
そして上記第１凝集圧送装置４０によれば、汚泥を移送するのに元々必要な圧送装置（圧送工程）に第１凝集装置（第１凝集工程）を兼用させたので、汚泥に第１の凝集を行わせるとともに、圧送することができ、これによって凝集装置（凝集工程）の簡素化が図れ、さらに凝集装置の小型化、低コスト化が図れる。また汚泥の圧送のための動力を第１の凝集のための撹拌に利用できるので、動力コスト（運転コスト）の低減化（省エネルギー化）も図れる。一方で、その凝集効果、即ち高分子凝集剤の注入量、脱水後に得られる脱水ケーキの含水率等は、第１凝集装置と圧送装置とを別々に設置し、第１凝集装置によって高分子凝集剤を１０００ｍｉｎ-1以上の高速で撹拌した場合の凝集効果と同等である。
【００５１】
次に、図１において、第１凝集圧送装置４０を通過して圧送された混合汚泥は、第２凝集装置８０の第２撹拌部８１内に導入される。第２凝集装置８０の上流側の配管内には、第２の高分子凝集剤ポンプ９３によって、第２の高分子凝集剤溶解槽９１から第２の高分子凝集剤が供給され、汚泥内に注入される。第２凝集装置８０では、第１凝集圧送装置４０での撹拌速度よりも低速の撹拌速度（１０〜５００ｍｉｎ-1、以下「通常撹拌」とも称する）によって撹拌翼８３を回転し、前記混合汚泥と前記第２の高分子凝集剤の溶液とを混合撹拌し、凝集フロックを形成させて凝集汚泥を得る（第２凝集工程）。
【００５２】
第１凝集圧送装置４０において高分子凝集剤を汚泥の細部まで均一に分散させ、汚泥の表面電荷の中和と、高分子の吸着又は架橋作用による凝集とを同時に行わせることができるため、第２凝集装置８０では、第１凝集圧送装置４０で得られた混合汚泥に対して高分子凝集剤を比較的ゆっくりと撹拌混合することにより、大きな凝集フロックを形成させることができ、ろ過性のよい凝集汚泥を形成できる。
【００５３】
第２撹拌部８１における撹拌時間、即ち第２の高分子凝集剤の溶液と混合汚泥を混合撹拌する時間は１分〜２０分であるのが好ましい。その理由は、第２凝集装置８０では、高分子凝集剤を第１凝集圧送装置４０において調整した混合汚泥に緩やかに接触させ、凝集フロックを成長させる必要があるからである。かかる観点から、第２凝集装置８０における撹拌の撹拌時間は、１分〜２０分であるのが好ましく、中でも２分以上或いは１５分以下、その中でも３分以上或いは１０分以下であるのがさらに好ましい。
【００５４】
次に、第２凝集装置８０で凝集フロックを形成させて得た凝集汚泥は、汚泥脱水機１００に移送され、この汚泥脱水機１００において固液分離され、固体として脱水ケーキを得、液体として脱水ろ液を得る。
【００５５】
本汚泥処理装置１−１によれば、脱水ケーキの含水率を低減することができるから、廃棄物量を削減することができる。
【００５６】
〔第２実施形態〕
図２は本発明の第２実施形態にかかる汚泥処理装置（汚泥凝集脱水装置）１−２の全体概略図である。同図に示す汚泥処理装置１−２において、前記図１に示す汚泥処理装置１−１と同一又は相当部分には同一符号を付す（但し「−２」を付す。）。なお以下で説明する事項以外の事項については、前記図１に示す実施形態と同じである。同図に示す汚泥処理装置１−２において、上記図１に示す汚泥処理装置１−１と相違する点は、上記汚泥処理装置１−１で用いた第２の高分子凝集剤溶解槽９１を省略し、その代りに、第１の高分子凝集剤溶解槽７１−２から第２の高分子凝集剤ポンプ９３−２によって、第２凝集装置８０−２の上流側の配管内に第２の高分子凝集剤を供給し、第１凝集圧送装置４０−２から圧送されてきた混合汚泥内に注入した点である。即ち、第１の高分子凝集剤と第２の高分子凝集剤とが同じ高分子凝集剤の場合は、第２の高分子凝集剤溶解槽を第１の高分子凝集剤溶解槽７１−２で兼用しても良い。
【００５７】
〔第３実施形態〕
図３は本発明の第３実施形態にかかる汚泥処理装置（汚泥凝集脱水装置）１−３の全体概略図である。同図に示す汚泥処理装置１−３において、前記図１に示す汚泥処理装置１−１と同一又は相当部分には同一符号を付す（但し「−３」を付す。）。なお以下で説明する事項以外の事項については、前記図１に示す実施形態と同じである。同図に示す汚泥処理装置１−３において、上記図１に示す汚泥処理装置１−１と相違する点は、上記汚泥処理装置１−１で用いた第２の高分子凝集剤溶解槽９１と第２の高分子凝集剤ポンプ９３を省略し、その代りに、第１の高分子凝集剤ポンプ７３−３の下流側の配管を分岐させて第２凝集装置８０−３の上流側の配管に接続し、この分岐した配管中に高分子凝集剤流量調整バルブ９５−３を設置した点である。この汚泥処理装置１−３によれば、第１の高分子凝集剤の溶液は、第１の高分子凝集剤ポンプ７３−３によって第１の高分子凝集剤溶解槽７１−３から第１凝集圧送装置４０−３に供給され、高分子凝集剤流量調整バルブ９５−３によって流量が調整された上で第２凝集装置８０−３に供給される。この汚泥処理装置１−３の場合も、第１の高分子凝集剤と第２の高分子凝集剤とが同じ高分子凝集剤である場合に利用できる。
【００５８】
〔その他の実施形態〕
また汚泥処理装置１−１に設置した第１凝集圧送装置４０の上流側の配管において、汚泥貯留槽１０からの汚泥に無機凝集剤を供給するように構成しても良い。その後は前記汚泥処理装置１−１の場合と同様の凝集、脱水処理を行う。添加する無機凝集剤としては、例えば塩化第二鉄、硫酸アルミニウム、塩化アルミニウム、ポリ塩化アルミニウム、ポリ硫酸第二鉄などを挙げることができる。
【００５９】
無機凝集剤は、粘度を低下させて汚泥中に分散させ易くするとともに、希釈することによりボリュームを増やして均一分散させ易くする観点から、希釈水で希釈して添加することが好ましい。上記観点から、無機凝集剤の希釈倍率は２〜５倍が好ましい。より好ましい希釈倍率は３〜４倍である。希釈液には、純水、水道水、工業用水、地下水、各種廃水処理の処理水、海水などが使用できるが、経済性の観点からは、工業用水、地下水、各種廃水処理の処理水が好ましい。
【００６０】
無機凝集剤は、汚泥のＴＳに対して１．０質量％（Ｆｅ換算）以上添加すれば、脱水効果を高めることができる一方、１０質量％（Ｆｅ換算）を超えて添加しても無機凝集剤の無駄である。よって、かかる観点から、無機凝集剤の添加量は、汚泥に対して１．０〜１０質量％（Ｆｅ換算）で添加するのが好ましく、中でも１．５質量％（Ｆｅ換算）以上或いは８．０質量％（Ｆｅ換算）以下、その中でも２質量％（Ｆｅ換算）以上或いは６．０質量％（Ｆｅ換算）以下の割合で添加するのがより一層好ましい。
【００６１】
以上のように構成すれば、前記汚泥処理装置１−１の第１凝集圧送装置４０と第２凝集装置８０を用いて、回転速度が異なる２段階の撹拌工程により汚泥を凝集させることに加えて、無機凝集剤を前添加することにより、脱水ケーキの含水率をさらに低減できるばかりか、脱水ろ液の色度を低減することができる。
【００６２】
次に、さらに他の実施形態として、汚泥処理装置１−１に設置した第２凝集装置８０の下流側に、第２凝集装置８０で得られた凝集汚泥を濃縮して濃縮汚泥を得る濃縮装置と、濃縮装置で得た濃縮汚泥に無機凝集剤を加える無機凝集剤添加装置とを設置しても良い。その後は前記汚泥処理装置１−１の場合と同様の脱水処理を行う。
【００６３】
濃縮装置は、例えば遠心濃縮機、スクリュー濃縮機、楕円板型濃縮機、ふるいなどを使用して、加圧せずに凝縮汚泥を濃縮する装置を採用することも可能であるし、また例えばベルトプレス濃縮機、フィルタプレス濃縮機などを使用して、加圧しながら凝集汚泥を濃縮する方法を採用することも可能である。水分量をより減らすことができ、無機凝集剤添加効果をより一層高めることができる観点から、加圧しながら濃縮する装置を採用するのがより一層好ましい。
【００６４】
無機凝集剤添加装置は、濃縮装置からの濃縮汚泥に無機凝集剤を添加する装置である。前記濃縮装置で得られた濃縮汚泥に、無機凝集剤を添加することにより、脱水効果をさらに高めることができる。使用する無機凝集剤としては、例えば塩化第二鉄、硫酸アルミニウム、塩化アルミニウム、ポリ塩化アルミニウム、ポリ硫酸第二鉄などを挙げることができる。
【００６５】
無機凝集剤は、粘度を低下させて濃縮汚泥内に含浸及び分散させ易くすると共に、希釈することによりボリュームを増やして均一分散させ易くする観点から、希釈水で希釈後、濃縮汚泥に添加することが好ましい。希釈水には、純水、水道水、工業用水、地下水、各種廃水処理の処理水、海水などが使用できるが、経済性の観点からは、工業用水、地下水、各種廃水処理の処理水が好ましい。
【００６６】
以上のように構成すれば、第２凝集装置８０から排出された凝集フロックを含む凝集汚泥は、濃縮装置に導入される。濃縮装置では、凝集汚泥が濃縮されて濃縮汚泥となって無機凝集剤添加装置に供給され、濃縮汚泥に無機凝集剤が添加され、汚泥脱水機１００に移送される。そしてこの汚泥脱水機１００において固液分離され、固体として脱水ケーキを得、液体として脱水ろ液を得る。
【００６７】
以下、本発明を下記実験例に基づいてさらに詳述する。
【００６８】
（実験例１）
本実験例では、第１の高分子凝集剤の溶液を汚泥に注入して撹拌・加圧（圧送）した後、第２の高分子凝集剤の溶液を注入して撹拌を実施し、得られた凝集汚泥をベルトプレス脱水機により脱水して脱水ケーキを得るという工程において、前記撹拌・加圧時における撹拌の回転速度を変更して脱水ケーキの含水率との関係を検討した。
【００６９】
実験には２種類の汚泥（Ａ、Ｂ）を使用した。いずれも嫌気性消化汚泥である。いずれも異なる廃水処理施設から採取した。
汚泥Ａ、ＢのＴＳは、それぞれ１１．０、２３．０ｇ／Ｌである。なお、ＴＳとは、蒸発残留物のことであり、汚泥を１０５〜１１０℃で蒸発乾固したときに残留する物質の濃度である。測定方法は下水試験方法に準拠した。
汚泥Ａ，Ｂの実験では、第１及び第２の高分子凝集剤ともに、カチオン性高分子凝集剤ａ（ＤＡＭ系高分子凝集剤、分子量３００万、粘度１１４ｍＰａ・ｓ）を使用した。
また、第１の高分子凝集剤の溶液及び第２の高分子凝集剤の溶液は、いずれも高分子凝集剤を水に溶解して得た水溶液であり、その濃度とは、水溶液中の高分子凝集剤の濃度の意味である。
【００７０】
実験手順は以下の通りである。
汚泥貯留槽に接続されたポンプ（第１凝集圧送装置）の吸込配管に上記第１の高分子凝集剤の溶液（濃度１０ｇ／Ｌ）を所定量注入し、このポンプ（第１凝集圧送装置）の吐出配管から吐出された混合汚泥サンプルを得る。次に、得られた混合汚泥に第２の高分子凝集剤の溶液（濃度１０ｇ／Ｌ）を所定量注入し、撹拌する際の回転速度１５０ｍｉｎ-1の撹拌機により混合汚泥と高分子凝集剤を２分間混合撹拌し、混合汚泥を凝集させ、凝集フロックを形成させた。最後に、ベルトプレス脱水機により、凝集フロックを脱水し、得られた脱水ケーキの含水率（％）を測定した。
【００７１】
なお、汚泥Ａの実験では、第１の高分子凝集剤の溶液を２ｍＬ、第２の高分子凝集剤を２ｍＬ注入した。
汚泥Ｂの実験では、第１の高分子凝集剤の溶液を４ｍＬ、第２の高分子凝集剤の溶液を５ｍＬ注入した。
【００７２】
脱水ケーキの含水率（％）は、脱水ケーキを１０５〜１１０℃で蒸発乾固したときに蒸発する水の質量から求めた。測定方法は下水試験方法に準拠した。
実験結果を表１に示す。
【００７３】
【表１】
2016101540.tif 000003
【００７４】
汚泥Ａ、Ｂについては、ポンプの回転速度が１０００ｍｉｎ-1程度以上でケーキ含水率を低減できた。このことから、ポンプの回転速度を、好ましくは１０００ｍｉｎ-1以上、さらにより好ましくは１５００ｍｉｎ-1以上に調整することにより、ケーキ含水率を低減できること、又は汚泥を凝集させ、脱水ケーキを得ることができることが分かった。
【００７５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの構成であっても、本願発明の作用・効果を奏する以上、本願発明の技術的思想の範囲内である。例えば、上記各実施形態にかかる汚泥処理装置では、第１凝集圧送装置の上流側の配管（吸込口近傍）に第１の高分子凝集剤を供給する構成としたが、第１凝集圧送装置内に直接第１の高分子凝集剤を供給する構成としてもよい。同様に、上記各実施形態にかかる汚泥処理装置では、第２凝集装置の上流側の配管に第２の高分子凝集剤を供給する構成としたが、第２凝集装置内に直接第２の高分子凝集剤を供給する構成としてもよい。
【符号の説明】
【００７６】
１−１  汚泥処理装置（汚泥凝集脱水装置）
１０  汚泥貯留槽
３０  汚泥凝集装置
４０  第１凝集圧送装置（ポンプ、汚泥供給ポンプ）
７０  第１薬注手段
７１  第１の高分子凝集剤溶解槽
７３  第１の高分子凝集剤ポンプ
８０  第２凝集装置
８１  第２撹拌部
８３  撹拌翼
８５  シャフト
８７  モータ（駆動源）
９０  第２薬注手段
９１  第２の高分子凝集剤溶解槽
９３  第２の高分子凝集剤ポンプ
１００  汚泥脱水機
１−２  汚泥処理装置（汚泥凝集脱水装置）
１−３  汚泥処理装置（汚泥凝集脱水装置）
９５−３  高分子凝集剤流量調整バルブ
【図１】
2016101540.tif 000004
【図２】
2016101540.tif 000005
【図３】
2016101540.tif 000006